(57)【要約】【課題】  太陽光パネルを設置場所に対して平行に取り付けることができるだけではなく、傾斜させた状態でも取り付けることができるとともに、部品点数が少なく、設置作業も容易となる太陽光パネル取付装置を提供すること。【解決手段】  太陽光パネル設置場所の所定の複数箇所に着脱可能に取り付けられる下部取付具と、上記下部取付具に必要に応じて着脱可能に取り付けられ予めその高さが設定されている上部取付具と、を具備し、上記下部取付具に直接的に又は上記上部取付具を介して間接的に太陽光パネルが着脱可能に取り付けられることを特徴とするもの。【選択図】図２
2013177778.tif 000002
【特許請求の範囲】
【請求項１】
太陽光パネル設置場所の所定の複数箇所に着脱可能に取り付けられる下部取付具と、
上記下部取付具に必要に応じて着脱可能に取り付けられ予めその高さが設定されている上部取付具と、
を具備し、
上記下部取付具に直接的に又は上記上部取付具を介して間接的に太陽光パネルが着脱可能に取り付けられることを特徴とする太陽光パネル取付装置。
【請求項２】
請求項１記載の太陽光パネル取付装置において、
上記上部取付具又は上記下部取付具には内部よりも開口部が狭くなっている溝が形成されており、
上記溝に挿入されたナットと、
上記ナットに螺合されるボルトと、
上記ボルトによって付勢され上記上部取付具又は上記下部取付具との間に上記太陽光パネルを挟持するクランプ部材と、を具備することを特徴とする太陽光パネル取付装置。
【請求項３】
請求項１又は請求項２記載の太陽光パネル取付装置において、
上記上部取付具には傾斜部が設けられていて上記太陽光パネルが傾斜した状態で取り付けられるものであることを特徴とする太陽光パネル取付装置。
【請求項４】
請求項１〜請求項３の何れかに記載の太陽光パネル取付装置において、
上記上部取付具、上記下部取付具、及び、上記クランプ部材は、押出成形によって形成されたものであることを特徴とする太陽光パネル取付装置。
【発明の詳細な説明】
【技術分野】
【０００１】
本発明は、例えば、折板屋根上に設置される太陽光パネル取付装置に係り、特に、設置場所に設けられた複数の下部取付具に対して太陽光パネルが直接的に又は間接的に取り付けられたものであって、上記複数の下部取付具に必要に応じて高さが設定された上部取付具が設置され、上記太陽光パネルを設置場所に対して平行に取り付けることができるだけではなく、傾斜させた状態でも取り付けることができるものであるとともに、部品点数が少なく、設置作業も容易となるように工夫したものに関する。
【０００２】
従来、例えば、折板屋根上に太陽光パネルを設置する場合、特許文献１に示すような複数の取付金具を使用していた。
この取付金具は、折板屋根のハゼを水平方向両側から挟み込むとともに、太陽光パネルを垂直方向両側から挟み込むことによって、上記太陽光パネルを上記折板屋根上に固定するものである。
しかし、特許文献１の取付金具によっては、設置場所に対して太陽光パネルを傾斜させた状態で設置することができない。これは、設置場所に取り付けられた上記複数の取付金具は全て同じ高さで上記太陽光パネルを挟み込むものとなっているからである。
そこで、設置場所に対して太陽光パネルを傾斜させた状態で設置する場合は、例えば、次のようにして、太陽光パネルを設置する。
【０００３】
まず、折板屋根のハゼに取付金具を設置する。この取付金具は、例えば、特許文献１に挙げられているもののように上記ハゼを挟むようにして、所定の複数箇所に設置されるものである。そして、上記取付金具上にフレームを設置し、このフレーム上の所定の場所に太陽光パネルを傾斜させた状態で設置するための柱や架台等を更に設置する。そして、上記フレーム及び上記柱、上記架台等に上記太陽光パネルを取り付ける。
また、折板屋根に対して太陽光パネルを取り付けるものではないが、太陽光パネルを設置場所に対して傾斜させて設置するものとしては、特許文献２のようなものも存在する。
【先行技術文献】
【特許文献】
【０００４】
【特許文献１】特開２０１１−１２７３３０号公報
【特許文献２】特開２０１１−１４４５７２号公報
【発明の概要】
【発明が解決しようとする課題】
【０００５】
しかし、従来の構成では次のような問題があった。
すなわち、取付金具に対して更にフレームや柱等を設けなければならないため、設置作業は煩雑なものとなり、使用しなければならない部品点数も多くなってしまう。特許文献２に記載されたものについても、太陽光パネルを傾斜させるために新たに基礎等を構築しなければならないため、同様に部品点数が多く、設置作業が煩雑なものとなっている。
【０００６】
本発明は、上記のような点に基づいて成されたもので、その目的とするところは、太陽光パネルを設置場所に対して平行に取り付けることができるだけではなく、傾斜させた状態でも取り付けることができ、且つ、部品点数が少なく設置作業が容易である太陽光パネル取付装置を提供することにある。
【課題を解決するための手段】
【０００７】
上記課題を解決するべく請求項１に記載された太陽光パネル取付装置は、太陽光パネル設置場所の所定の複数箇所に着脱可能に取り付けられる下部取付具と、上記下部取付具に必要に応じて着脱可能に取り付けられ予めその高さが設定されている上部取付具と、を具備し、上記下部取付具に直接的に又は上記上部取付具を介して間接的に太陽光パネルが着脱可能に取り付けられることを特徴とするものである。
また、請求項２に記載された太陽光パネル取付装置は、請求項１記載の太陽光パネル取付装置において、上記上部取付具又は上記下部取付具には内部よりも開口部が狭くなっている溝が形成されており、上記溝に挿入されたナットと、上記ナットに螺合されるボルトと、上記ボルトによって付勢され上記上部取付具又は上記下部取付具との間に上記太陽光パネルを挟持するクランプ部材と、を具備することを特徴とするものである。
また、請求項３に記載された太陽光パネル取付装置は、請求項１又は請求項２記載の太陽光パネル取付装置において、上記上部取付具には傾斜部が設けられていて上記太陽光パネルが傾斜した状態で取り付けられるものであることを特徴とするものである。
また、請求項４に記載された太陽光パネル取付装置は、請求項１〜請求項３の何れかに記載の太陽光パネル取付装置において、上記下部取付具、上記上部取付具、及び、上記クランプ部材は、押出成形によって形成されたものであることを特徴とするものである。
【発明の効果】
【０００８】
以上述べたように、請求項１記載の太陽光パネル取付装置は、太陽光パネル設置場所の所定の複数箇所に着脱可能に取り付けられる下部取付具と、上記下部取付具に必要に応じて着脱可能に取り付けられ予めその高さが設定されている上部取付具と、を具備し、上記下部取付具に直接的に又は上記上部取付具を介して間接的に太陽光パネルが着脱可能に取り付けられるものであるため、上記太陽光パネルを上記太陽光パネル設置場所に対して平行に支持・固定させることができるだけでなく、上記上部取付具を適宜追加することで上記太陽光パネルを傾斜させた状態でも支持・固定させることができる。また、上記下部取付具に対してフレーム及び柱、架台等を設けることなく上記上部取付具を用いることで上記太陽光パネルを傾斜させた状態でも支持・固定させることができるため、使用される部品点数が少なく、設置作業を容易なものとすることができる。
また、請求項２記載の太陽光パネル取付装置は、請求項１記載の太陽光パネル取付装置において、上記上部取付具又は上記下部取付具には内部よりも開口部が狭くなっている溝が形成されており、上記溝に挿入されたナットと、上記ナットに螺合されるボルトと、上記ボルトによって付勢され上記上部取付具又は上記下部取付具との間に上記太陽光パネルを挟持するクランプ部材と、を具備するため、確実に上記太陽光パネルを支持・固定することができる。
また、請求項３記載の太陽光パネル取付装置は、請求項１又は請求項２記載の太陽光パネル取付装置において、上記上部取付具には傾斜部が設けられていて上記太陽光パネルが傾斜した状態で取り付けられるものであるため、上記太陽光パネルを傾斜させた状態でも安定して支持・固定させることができる。
また、請求項４記載の太陽光パネル取付装置は、請求項１〜請求項３の何れかに記載の太陽光パネル取付装置において、上記下部取付具、上記上部取付具、及び、上記クランプ部材は、押出成形によって形成されたものであるため、上記下部取付具、上記上部取付具、及び、上記クランプ部材を容易に製造することができる。また、押出成形によって、各構成要素を複雑な形状に成形することができ、別の部材を追加することなく係合構造等を設けることができる。そのため、使用される部品点数を減らすことができる。
【図面の簡単な説明】
【０００９】
【図１】本発明の第１の実施の形態を示す図で、折板屋根上に設置された本実施の形態による太陽光パネル取付装置を示す斜視図である。
【図２】本発明の第１の実施の形態を示す図で、折板屋根上に設置された本実施の形態による太陽光パネル取付装置を示す側面図である。
【図３】本発明の第１の実施の形態を示す図で、折板屋根上に設置された本実施の形態による太陽光パネル取付装置を示す斜視図であり、太陽光パネルとクランプ部材を除去した状態を示す図である。
【図４】本発明の第１の実施の形態を示す図で、折板屋根上に設置された本実施の形態による太陽光パネル取付装置の下部取付具を示す拡大斜視図である。
【図５】本発明の第１の実施の形態を示す図で、図４におけるＶ−Ｖ断面図である。
【図６】本発明の第１の実施の形態を示す図で、図６（ａ）は本実施の形態による太陽光パネル取付装置の下部取付具を示す斜視図、図６（ｂ）は図６（ａ）の下部取付具を反対側から見た斜視図である。
【図７】本発明の第１の実施の形態を示す図で、本実施の形態による太陽光パネル取付装置の下部取付具を示す分解斜視図である。
【図８】本発明の第１の実施の形態を示す図で、図８（ａ）は本実施の形態による太陽光パネル取付装置の上部取付具と下部取付具を示す斜視図、図８（ｂ）は本実施の形態による太陽光パネル取付装置のクランプ部材と上部取付具と下部取付具を示す背面図、図８（ｃ）は図８（ｂ）におけるｃ−ｃ断面図である。
【図９】本発明の第１の実施の形態を示す図で、図９（ａ）は本実施の形態による太陽光パネル取付装置の上部取付具と下部取付具を示す斜視図、図９（ｂ）は本実施の形態による太陽光パネル取付装置のクランプ部材と上部取付具と下部取付具を示す背面図、図９（ｃ）は図９（ｂ）におけるｃ−ｃ断面図である。
【図１０】本発明の第１の実施の形態を示す図で、図１０（ａ）は本実施の形態による太陽光パネル取付装置の上部取付具と下部取付具を示す斜視図、図１０（ｂ）は本実施の形態による太陽光パネル取付装置のクランプ部材と上部取付具と下部取付具を示す背面図、図１０（ｃ）は図１０（ｂ）におけるｃ−ｃ断面図である。
【図１１】本発明の第２の実施の形態を示す図で、折板屋根上に設置された本実施の形態による太陽光パネル取付装置を示す斜視図である。
【図１２】本発明の第２の実施の形態を示す図で、折板屋根上に設置された本実施の形態による太陽光パネル取付装置を示す側面図である。
【図１３】本発明の第２の実施の形態を示す図で、折板屋根上に設置された本実施の形態による太陽光パネル取付装置を示す斜視図であり、太陽光パネルとクランプ部材を除去した状態を示す図である。
【図１４】本発明の第３の実施の形態を示す図で、折板屋根上に設置された本実施の形態による太陽光パネル取付装置を示す斜視図である。
【図１５】本発明の第３の実施の形態を示す図で、折板屋根上に設置された本実施の形態による太陽光パネル取付装置を示す側面図である。
【図１６】本発明の第３の実施の形態を示す図で、折板屋根上に設置された本実施の形態による太陽光パネル取付装置を示す斜視図であり、太陽光パネルとクランプ部材を除去した状態を示す図である。
【図１７】本発明の第３の実施の形態を示す図で、図１０（ａ）は本実施の形態による太陽光パネル取付装置のクランプ部材と下部取付具を示す斜視図、図１０（ｂ）は本実施の形態による太陽光パネル取付装置のクランプ部材と下部取付具を示す背面図、図１０（ｃ）は図１０（ｂ）におけるｃ−ｃ断面図である。
【発明を実施するための形態】
【００１０】
図１乃至図１０を参照して、本発明の第１の実施の形態について説明する。
図１や図２に示すように、本実施の形態による太陽光パネル取付装置１が太陽光パネル設置場所としての折板屋根３上に設置・固定され、上記太陽光パネル取付装置１によって後述する太陽光パネル５ａ、５ｂが支持・固定される。上記折板屋根３は図１乃至図５に示すように、例えば、鋼板を折り曲げて略Ｖ字形状に形成した屋根材３ａを、複数個接続したものである。
上記屋根材３ａ同士は、図４や図５に示すように、隣り合う上記屋根材３ａのうちの一方の上記屋根材３ａの端部側を上側（図５中上方向）に垂直に折り曲げ、この折り曲げられた部分が隣り合う上記屋根材３ａのうちの他方の上記屋根材３ａの屈曲された端部側によって挟み込まれることによって接続されている。また、上記隣り合う屋根材３ａのうちの他方の上記屋根材３ａの端部側は、略円形に屈曲されている。そして、一の屋根材３ａの略円形に屈曲された部分と隣り合う屋根材３ａの垂直に屈曲された部分とによってハゼ３ｂが構成されている。
【００１１】
図１及び図２に示すように、上記太陽光パネル取付装置１によって、上記折板屋根３上に複数（本実施の形態においては２枚）の太陽光パネル５ａ、５ｂが設置される。この太陽光パネル５ａ、５ｂは、例えば、太陽電池を備えるものである。そして、上記折板屋根３上には、上記太陽光パネル５ａの前端（図１中左下側端）を支持・固定する複数（本実施の形態においては２つ）の第１取付具７、７が設置・固定されている。また、上記折板屋根３上には、上記太陽光パネル５ａの後端（図１中右上側端）及び上記太陽光パネル５ｂの前端（図１中左下側端）を支持・固定する複数（本実施の形態においては２つ）の第２取付具９、９が設置・固定されている。また、上記折板屋根３上には、上記太陽光パネル５ｂの後端（図１中右上側端）を支持・固定する複数（本実施の形態においては２つ）の第３取付具１１、１１が設置・固定されている。すなわち、上記第１取付具７、７、上記第２取付具９、９、上記第３取付具１１、１１によって、上記太陽光パネル取付装置１が構成されていることになる。
【００１２】
そして、図２や図３に示すように、上記第１取付具７は、下部取付具１３と、この下部取付具１３に着脱可能に取り付けられる上部取付具１５、及び、この上部取付具１５に上記太陽光パネル５ａを着脱可能に取り付けるクランプ部材１６とから構成されている。
また、上記第２取付具９は、下部取付具１７と、この下部取付具１７に着脱可能に取り付けられる上部取付具１９、及び、この上部取付具１９に上記太陽光パネル５ａ、５ｂを着脱可能に取り付けるクランプ部材２０とから構成されている。
また、上記第３取付具１１は、下部取付具２１と、この下部取付具２１に着脱可能に取り付けられる上部取付具２３、及び、この上部取付具２３に上記太陽光パネル５ｂを着脱可能に取り付けるクランプ部材２５とから構成されている。
なお、図３は上記クランプ部材１６、２０、２５を上記第１取付具７、９、１１から取り外した状態を示している。
【００１３】
上記下部取付具１３、１７、２１の構成について、上記下部取付具１３を例に挙げて説明する。図４乃至図７に示すように、上記下部取付具１３は、第１挟持部材２７に第２挟持部材２９を係合させた構成となっている。
上記第１挟持部材２７の上面（図５中上側の面）には、前後方向（図５中紙面垂直方向）に延長・形成された溝３１が設けられている。この溝３１は内側が広く、開口部側が上記内側よりも狭くなっている。また、上記第１挟持部材２７には、前後方向（図５中紙面垂直方向）に延長・形成された回動用係合凹部３３が設けられている。この回動用係合凹部３３は、略円形の断面形状を成す凹部である。また、上記第１挟持部材２７には、幅方向（図５中左右方向）に延長・形成された長穴形状の貫通孔３５が設けられている。また、上記第１挟持部材２７には、上記第２挟持部材２９側（図５中右側）に突出・形成された挟持用凸部３７が設けられている。また、上記第１挟持部材２７には、上記折板屋根３側（図５中下側）に突出・形成された脚部３９が設けられている。この脚部３９が折板屋根３に当接している。
【００１４】
上記第２挟持部材２９の上端側（図５中上側）には、前後方向（図５中紙面垂直方向）に延長・形成された回動用係合凸部４１が設けられている。この回動用係合凸部４１は上記回動用係合凹部３３に対応した形状を成しており、上記回動用係合凸部４１を上記回動用係合凹部３３に係合させることで、上記第１挟持部材２７と上記第２挟持部材２９とが回動可能に接続される。また、上記第２挟持部材２９の反第１挟持部材２７側（図５中右側）には、前後方向（図５中紙面垂直方向）に延長・形成された溝４３が設けられている。また、上記第２挟持部材２９には、上記第１挟持部材２７側（図５中左側）に突出・形成された挟持用凸部４５が設けられている。この挟持用凸部４５と上記第１挟持部材２７の挟持用凸部３７とによって、上記折板屋根３のハゼ３ｂが挟み込まれる。また、上記第２挟持部材２９には、折板屋根３側（図５中下側）に突出・形成された脚部４７が設けられている。この脚部４７が上記折板屋根３に当接している。また、上記第２挟持部材２９には、幅方向（図５中左右方向）に延長・形成された貫通孔４９が設けられている。
【００１５】
また、上記第１挟持部材２７の貫通孔３５と上記第２挟持部材２９の貫通孔４９には、ボルト５１が貫通している。このボルト５１の頭部５１ａは上記第１挟持部材２７側に配置されているとともに、上記ボルト５１の軸部５１ｂが上記貫通孔３５と上記貫通孔４９を貫通している。また、上記第２挟持部材２９の溝４３内にはナット５３が設置されており、このナット５３に上記ボルト５１の軸部５１ｂが螺合されている。
そして、上記ボルト５１を上記ナット５３に螺合させていくことで、上記第１挟持部材２７と上記第２挟持部材２９を互いに近接する方向に回動させ、上記折板屋根３のハゼ３ｂを挟み込み、上記下部取付具１３を上記折板屋根３のハゼ３ｂに固定させている。
また、上記ボルト５１の頭部５１ａと上記第１挟持部材２７との間には、ワッシャ５４が介挿されている。
【００１６】
また、上記下部取付具１７、２１の構成は、上記下部取付具１３と同様のものであり、同様にして、上記折板屋根３のハゼ３ｂに固定されている。
また、上記下部取付具１３、１７、２１は、例えば、アルミ製であり、押出成形によって形成されたものである。
なお、上記下部取付具１７、２１の構成要素については、上記下部取付具１３の構成要素と同じ符号を付して、説明を省略する。
【００１７】
次に、第１取付具７の具体的な構成について、図８を用いて説明する。上記第１取付具７は、前述したように、下部取付具１３、上部取付具１５、及び、クランプ部材１６から構成されている。
上記上部取付具１５には、下部取付具１３側（図８（ｃ）中下側）に幅方向（図８（ｃ）中紙面垂直方向）に延長・形成された係合溝５５と、高さ方向（図８（ｃ）中上下方向）に延長・形成された貫通孔５７が設けられている。上記係合溝５５を上記下部取付具１３の上端（図８（ｃ）中上側端）に係合させることで、上記上部取付具１５が上記下部取付具１３に取り付けられている。また、上記上部取付具１５の前方側（図８（ｃ）中右側）は、水平部５９となっている。この水平部５９は折板屋根３に対して傾斜していない部分である。また、上記上部取付具１５の後方側（図８（ｃ）中左側）は、傾斜部６１となっている。この傾斜部６１は折板屋根３に対して、例えば、５°傾斜された部分となっている。
また、上記傾斜部６１にはストッパ６２が、上記傾斜部６１に垂直に突出・形成されている。
なお、上記上部取付具１５は、例えば、アルミ製であり、押出成形によって形成されたものである。
【００１８】
上記クランプ部材１６には、高さ方向（図８（ｃ）中上下方向）に延長・形成された貫通孔６３が設けられている。また、上記クランプ部材１６には、太陽光パネル５ａ側（図８（ｃ）中左側）に突出・形成された係合爪６５が設けられている。この係合爪６５も上記傾斜部６１と同様に、例えば、５°に傾斜されている。また、上記係合爪６５は上記クランプ部材１６の垂直な背面部（図８（ｃ）中右側の部分）に対しても傾斜された状態で突出・形成されたものである。また、上記係合爪６５にはストッパ６４が形成されている。
上記クランプ部材１６の係合爪６５と上記上部取付具１５の傾斜部６１との間に太陽光パネル５ａが挟み込まれている。また、上記ストッパ６２、６４に上記太陽光パネル５ａの端部が当接するようになっている。
また、上記クランプ部材１６の係合爪６５の太陽光パネル５ａ側（図８（ｃ）中下側）には滑り止め６６が形成されている。この滑り止め６６は微細な凹凸からなり上記係合爪６５と上記太陽光パネル５ａ間の摩擦係数を高くしている。
なお、上記クランプ部材１６は、例えば、アルミ製であり、押出成形によって形成されたものである。
【００１９】
そして、上記クランプ部材１６の貫通孔６３と上記上部取付具１５の貫通孔５７を貫通して、ボルト６７が上記下部取付具１３の溝３１内に挿入されたナット６９に螺合されている。このナット６９は上記溝３１の断面形状に対応した形状を成しているものである。そして、上記ナット６９に上記ボルト６７を螺合させていくことで、上記クランプ部材１６を上記上部取付具１５側に付勢させ、これによって上記クランプ部材１６の係合爪６５と上記上部取付具１５の傾斜部６１との間に太陽光パネル５ａを固定している。
また、上記ボルト６７の頭部と上記クランプ部材１６との間にはワッシャ７２が介挿されている。
【００２０】
次に、第２取付具９の具体的な構成について、図９を用いて説明する。上記第２取付具９は、前述したように、下部取付具１７、上部取付具１９、及び、クランプ部材２０から構成されている。
上記上部取付具１９は、下部取付具１７側（図９（ｃ）中下側）に幅方向（図９（ｃ）中紙面垂直方向）に延長・形成された係合溝７１と、高さ方向（図９（ｃ）中上下方向）に延長・形成された貫通孔７３、７５が設けられている。上記係合溝７１を上記下部取付具１７の上端（図９（ｃ）中上側端）に係合させることで、上記上部取付具１９が上記下部取付具１７に取り付けられている。また、上記貫通孔７５を貫通して、ボルト７７が上記下部取付具１７の溝３１内に挿入されたナット７９に螺合されている。このナット７９は上記溝３１の断面形状に対応した形状を成しているものである。上記ボルト７７と上記ナット７９とによって上記下部取付具１７と上記上部取付具１９とが固定されている。また、上記上部取付具１９には肉抜き用の貫通孔７８、７８、７８、７８が形成されている。
また、上記ボルト７７と上記上部取付具１９との間にはワッシャ８０が介挿されている。
【００２１】
また、上記上部取付具１９の上端部には傾斜部としての太陽光パネル載置部８１、８３が形成されている。この太陽光パネル載置部８１、８３は折板屋根３に対して、例えば、５°傾斜されている。
また、上記太陽光パネル載置部８１、８３の間には溝８５が形成されている。この溝８５は上記下部取付具１７の溝３１と同様のものであるが、上記太陽光パネル載置部８１、８３に対応して、上記折板屋根３に対して、例えば、５°傾斜された状態で形成されている。
また、上記太陽光パネル載置部８１にはストッパ８６ａが垂直に突出・形成されており、上記太陽光パネル載置部８３にはストッパ８６ｂが垂直に突出・形成されている。
なお、上記上部取付具１９は、例えば、アルミ製であり、押出成形によって形成されたものである。
【００２２】
上記クランプ部材２０には、高さ方向（図９（ｃ）中上下方向）に延長・形成された貫通孔８７が設けられており、上記クランプ部材２０の太陽光パネル５ａ側（図９（ｃ）中右下側）の面にはストッパ８８ａが垂直に突出・形成されているとともに、上記クランプ部材２０の太陽光パネル５ｂ側（図９（ｃ）中左下側）の面にはストッパ８８ｂが垂直に突出・形成されている。
また、上記クランプ部材２０の太陽光パネル５ａ側（図９（ｃ）中右下側）の面には滑り止め９０ａが形成されているとともに、上記クランプ部材２０の太陽光パネル５ｂ側（図９（ｃ）中左下側）の面には滑り止め９０ｂが形成されている。上記滑り止め９０ａ、９０ｂも微細な凹凸から成り、上記クランプ部材２０と上記太陽光パネル５ａ、５ｂとの間の摩擦係数を高くしている。
【００２３】
そして、上記クランプ部材２０の貫通孔８７を貫通して、ボルト８９が上記上部取付具１９の溝８５内に挿入されたナット９１に螺合されている。このナット９１は上記溝８５の断面形状に対応した形状を成しているものである。そして、上記ナット９１に上記ボルト８９を螺合させていくことで、上記クランプ部材２０を上記上部取付具１９側に付勢させ、これによって上記クランプ部材２０と上記上部取付具１９の太陽光パネル載置部８１、８３との間に太陽光パネル５ａ、５ｂを固定している。
また、上記ストッパ８６ａ、８８ａに上記太陽光パネル５ａの端部が当接されるとともに、上記ストッパ８６ｂ、８８ｂに上記太陽光パネル５ｂの端部が当接される。
また、上記ボルト８９と上記クランプ部材２０との間にはワッシャ９２が介挿されている。
なお、上記クランプ部材２０は、例えば、アルミ製であり、押出成形によって形成されたものである。
【００２４】
次に、第３取付具１１の具体的な構成について、図１０を用いて説明する。上記第３取付具１１は、前述したように、下部取付具２１、上部取付具２３、及び、クランプ部材２５から構成されている。
上記上部取付具２３は、下部取付具２１側（図１０（ｃ）中下側）に幅方向（図１０（ｃ）中紙面垂直方向）に延長・形成された係合溝９３と、高さ方向（図１０（ｃ）中上下方向）に延長・形成された貫通孔９５、９７が設けられている。上記係合溝９３を上記下部取付具２１の上端（図１０（ｃ）中上側端）に係合させることで、上記上部取付具２３が上記下部取付具２１に取り付けられている。また、上記貫通孔９７を貫通して、ボルト９９が上記下部取付具２１の溝３１内に挿入されたナット１０１に螺合されている。このナット１０１は上記溝３１の断面形状に対応した形状を成しているものである。上記ボルト９９と上記ナット１０１とによって上記下部取付具２１と上記上部取付具２３とが固定されている。
また、上記ボルト９９の頭部と上記上部取付具２３との間にはワッシャ９８が介挿されている。
また、上記上部取付具２３には、肉抜き用の貫通孔１００、１００、１００が形成されている。
【００２５】
また、上記上部取付具２３の上端部には傾斜部としての太陽光パネル載置部１０３が形成されている。この太陽光パネル載置部１０３は折板屋根３に対して、例えば、５°傾斜されている。
また、上記太陽光パネル載置部１０３には溝１０５が形成されている。この溝１０５は上記下部取付具２１の溝３１と同様のものであるが、上記太陽光パネル載置部１０３に対応して、上記折板屋根３に対して、例えば、５°傾斜された状態で形成されている。
また、上記太陽光パネル載置部１０３には垂直にストッパ１０４が突出・形成されている。
なお、上記上部取付具２３は、例えば、アルミ製であり、押出成形によって形成されたものである。
【００２６】
上記クランプ部材２５は上記クランプ部材１６と略同様の構成のものであるが、係合爪６５が太陽光パネル５ｂ側（図１０（ｃ）中右側）に指向しているものである。また、上記クランプ部材２５の係合爪６５は、上記クランプ部材２５の背面部（図１０（ｃ）中左側の部分）に対して垂直に形成されており、上記クランプ部材２５が上記上部取付具２３に取り付けられることによって、上記太陽光パネル載置部１０３の傾斜に対応して傾斜されるようになっている。なお、上記クランプ部材２５の構成要素については、上記クランプ部材１６の構成要素と同じ符号を付して、上記係合爪６５以外の構成要素の説明を省略する。
また、上記クランプ部材２５の係合爪６５と上記上部取付具２３の太陽光パネル載置部１０３との間に太陽光パネル５ｂが挟み込まれている。
また、上記上部取付具２３のストッパ１０４と上記クランプ部材２５のストッパ６４に上記太陽光パネル５ｂの端部が当接されている。
【００２７】
そして、上記クランプ部材２５の貫通孔６３を貫通して、ボルト１０７が上記上部取付具２３の溝１０５内に挿入されたナット１０９に螺合されている。このナット１０９は上記溝１０５の断面形状に対応した形状を成しているものである。そして、上記ナット１０９に上記ボルト１０７を螺合させていくことで、上記クランプ部材２５を上記上部取付具２３側に付勢させ、これによって上記クランプ部材２５の係合爪６５と上記上部取付具２３の太陽光パネル載置部１０３との間に太陽光パネル５ｂを固定している。
また、上記ボルト１０７と上記クランプ部材２５との間にはワッシャ１１０が介挿されている。
なお、上記クランプ部材２５は、例えば、アルミ製であり、押出成形によって形成されたものである。
以上が本実施の形態による太陽光パネル取付装置１の構成である。
【００２８】
次に本実施の形態による太陽光パネル取付装置１の作用について説明する。
太陽光パネル５ａ、５ｂを折板屋根３に設置・固定する場合は、次のような取付作業を行う。
まず、上記折板屋根３の所定のハゼ３ｂの所定の位置に、下部取付具１３、１３、１７、１７、２１、２１を固定する。すなわち、ボルト５１とナット５３とによって第１挟持部材２７と第２挟持部材２９によって上記ハゼ３ｂを挟み込んだ状態で固定する。このとき、図５に示すように、上記ハゼ３ｂの下側部分（図５中下側部分）が上記第１挟持部材２７の挟持用凸部３７と上記第２挟持部材２９の挟持用凸部４５によって挟み込まれているとともに、上記第１挟持部材２７の脚部３９と上記第２挟持部材２９の脚部４７が上記折板屋根３に当接した状態となっている。
【００２９】
次に、上記下部取付具１３の溝３１内にナット６９を挿入し、上記下部取付具１７の溝３１内にナット７９を挿入し、上記下部取付具２１の溝３１内にナット１０１を挿入する。そして、上記下部取付具１３の上端部に上部取付具１５の係合溝５５を係合させて上記下部取付具１３に上記上部取付具１５を取り付け、上記下部取付具１７の上端部に上部取付具１９の係合溝７１を係合させて上記下部取付具１７に上記上部取付具１９を取り付け、上記下部取付具２１の上端部に上部取付具２３の係合溝９３を係合させて上記下部取付具２１に上記上部取付具２３を取り付ける。そして、ボルト７７を上記ナット７９に螺合させて上記上部取付具１９を固定するとともに、ボルト９９をナット１０１に螺合させて上記上部取付具２３を固定する。
このようにして、上記下部取付具１３、１３に上記上部取付具１５、１５、を取り付け、上記下部取付具１７、１７に上記上部取付具１９、１９を取り付け、上記下部取付具２１、２１に上記上部取付具２３、２３を取り付けると、図３に示すような状態となる。
【００３０】
次に、上記上部取付具１５の上にクランプ部材１６を配置し、ボルト６７を上記クランプ部材１６の貫通孔６３と上記上部取付具１５の貫通孔５７を貫通させて上記ナット６９に螺合させ、上記クランプ部材１６を仮止めする。このようにして、第１取付具７が構成される。
また、ナット９１を上記上部取付具１９の溝８５内に挿入するとともに上記上部取付具１９の上にクランプ部材２０を配置し、ボルト８９を上記クランプ部材２０の貫通孔８７を貫通させて上記ナット９１に螺合させ、上記クランプ部材２０を仮止めする。このようにして、第２取付具９が構成される。
また、ナット１０９を上記上部取付具２３の溝１０５内に挿入するとともに上記上部取付具２３の上にクランプ部材２５を配置し、ボルト１０７を上記クランプ部材２５の貫通孔６３を貫通させて上記ナット１０９に螺合させ、上記クランプ部材２５を仮止めする。このようにして、第３取付具１１が構成される。
【００３１】
次に、上記第１取付具７、７の上記クランプ部材１６、１６と上記上部取付具１５、１５とによって太陽光パネル５ａの一の辺側を挟み込み、且つ、上記第２取付具９、９の上記クランプ部材２０、２０と上記上部取付具１９、１９とによって上記太陽光パネル５ａの上記一の辺に対向する辺側を挟み込む。そして、ボルト６７、６７を締めて、上記太陽光パネル５ａを上記第１取付具７、７に固定する。
【００３２】
次に、上記第２取付具９、９の上記クランプ部材２０、２０と上記上部取付具１９、１９とによって太陽光パネル５ｂの一の辺側を挟み込み、且つ、上記第３取付具１１、１１の上記クランプ部材２５、２５と上記上部取付具２３、２３とによって太陽光パネル５ｂの上記一の辺に対向する辺側を挟み込む。そして、ボルト８９、８９、及び、ボルト１０７、１０７を締めて、上記太陽光パネル５ａ、５ｂを上記第２取付具９、９に固定するとともに、上記太陽光パネル５ｂを上記第３取付具１１、１１に固定する。
このようにして、本実施の形態による太陽光パネル取付装置１が折板屋根３に対して取り付けられる。
【００３３】
上記太陽光パネル取付装置１は、上記第１取付具７の上部取付具１５に傾斜部６１が形成されており、上記第２取付具９の上部取付具１９に傾斜された太陽光パネル載置部８１、８３が設けられており、上記第３取付具１１の上部取付具２３に傾斜された太陽光パネル載置部１０３が設けられているとともに、上記上部取付具１５、１９、２３は、この順番にその高さが高いものになっているため、上記太陽光パネル５ａ、５ｂは上記折板屋根３に対して傾斜した状態で設置されている。
【００３４】
次に、本実施の形態による太陽光パネル取付装置１による効果について説明する。
まず、太陽光パネル５ａ、５ｂを支持・固定する第１取付具７、第２取付具９、第３取付具１１には、それぞれ、共通した構成の下部取付具１３、１７、２１がある。この下部取付具１３、１７、２１に対して、高さの異なる上部取付具１５、１９、２３が着脱可能に取り付けられる。そして、上記第１取付具７、上記第２取付具９、上記第３取付具１１は、図２に示すように、前方（図２中左方向）から後方（図２中右方向）に向かって高さが高くなるように配置されているため、上記太陽光パネル取付装置１は、上記太陽光パネル５ａ、５ｂを前方（図２中左方向）から後方（図２中右方向）に向かって高くなるように傾斜させて支持・固定させることができる。
また、上記下部取付具１３、１７、２１の上にフレーム及び柱、架台等を設けることなく、上記上部取付具１５等によって上記太陽光パネル５ａ、５ｂを傾斜させた状態で設置させることができるため、使用する部品点数が少なく、設置作業も容易となる。
【００３５】
また、上記第１取付具７の上部取付具１５に傾斜部６１が形成されており、上記第２取付具９の上部取付具１９に傾斜された太陽光パネル載置部８１、８３が設けられており、上記第３取付具１１の上部取付具２３に傾斜された太陽光パネル載置部１０３が設けられているため、上記太陽光パネル取付装置１は、上記太陽光パネル５ａ、５ｂを前述したような傾斜させた状態で安定して支持・固定させることができる。
【００３６】
また、上記太陽光パネル５ａはクランプ部材１６と上部取付具１５との間に挟まれており、上記下部取付具１３の溝３１内に挿入されたナット６９と上記ナット６９に螺合され上記クランプ部材１６を貫通するボルト６７によって、上記クランプ部材１６が上記上部取付具１５側に付勢され、これによって上記太陽光パネル５ａが固定されている。また、上記太陽光パネル５ａ、５ｂはクランプ部材２０と上部取付具１９、との間に挟まれており、上記上部取付具１９の溝８５内に挿入されたナット９１と上記ナット９１に螺合され上記クランプ部材２０を貫通するボルト８９によって、上記クランプ部材２０が上記上部取付具１９側に付勢され、これによって上記太陽光パネル５ａ、５ｂが固定されている。また、同様にして、上記太陽光パネル５ｂは、クランプ部材２５や上部取付具２３等によって固定されている。そのため、上記太陽光パネル取付装置１は、上記太陽光パネル５ａ、５ｂを確実に支持・固定することができる。
【００３７】
また、上記太陽光パネル取付装置１は、上記第１取付具７、上記第２取付具９、上記第３取付具１１には、それぞれ、共通した構成の下部取付具１３、１７、２１があり、この下部取付具１３、１７、２１に対して上記上部取付具１５、１９、２３が着脱可能に取り付けられているため、上記上部取付具１５、１９、２３を取り外し、上記下部取付具１３、１７、２１とクランプ部材１６、２０、２５によって上記太陽光パネル５ａ、５ｂを支持・固定することで、上記太陽光パネル５ａ、５ｂを上記折板屋根３に対して平行な状態で支持・固定することもできる。このような場合の詳細については後述する。
なお、上記上部取付具１９の溝８５やナット９１と同様の溝３１やナット６９が上記下部取付具１７にも設けられており、上記上部取付具２３の溝１０５やナット１０９と同様の溝３１やナット１０１が上記下部取付具２１にも設けられているため、上記クランプ部材２０を上記下部取付具１７に取り付けたり、上記クランプ部材２５を上記下部取付具２１に取り付けたりすることが可能となっている。
【００３８】
また、上記クランプ部材１６や上記クランプ部材２５には滑り止め６６が形成されており、上記クランプ部材２０には滑り止め９０ａ、９０ｂが形成されているため、上記太陽光パネル５ａ、５ｂを確実に固定することができる。
また、上記下部取付具１３、１７、２１、上記上部取付具１５、１９、２３、上記クランプ部材１６、２０、２５は、例えば、アルミ製であり、押出成形によって形成されたものであるため、他の部材を追加することなく係合構造等（回動用係合凹部３３、回動用係合凸部４１、挟持用凸部３７、４５、脚部３９、４７、滑り止め６６、係合爪６５、係合溝７１、９３、溝３１、４３、８５等）を個々の上記構成要素に対して一体として設けることができ、このことによっても使用される部品点数を少なくすることができる。
【００３９】
次に、図１１乃至図１３を参照して、本発明の第２の実施の形態について説明する。
本実施の形態による太陽光パネル取付装置１１１も折板屋根３に設置・固定されるものである。しかし、上記太陽光パネル取付装置１１１は、１枚の太陽光パネル、すなわち太陽光パネル５ａのみが支持・固定されている。
そのため、前述した第１の実施の形態において太陽光パネル５ｂを支持・固定していた第３取付具１１、１１が、本実施の形態においては設けられていない。
すなわち、本実施の形態による太陽光パネル取付装置１１１は、第１の実施の形態による太陽光パネル取付装置１から第３取付具１１、１１を取り除いた構成となっている。
なお、前述した第１の実施の形態の場合と、本実施の形態の場合とにおいて共通する構成については同一の符号を付し、説明を省略する。
【００４０】
本実施の形態による太陽光パネル取付装置１１１も、支持・固定する太陽光パネルの数が少ないものの、前述した第１の実施の形態による太陽光パネル取付装置１と同様の作用・効果を奏するものである。
【００４１】
次に、図１４乃至図１７を参照して、本願発明の第３の実施の形態について説明する。
図１４及び図１５に示すように、本実施の形態による太陽光パネル取付装置１１３は、前述した第１の実施の形態や第２の実施の形態の場合と異なり、太陽光パネル５ａを折板屋根３に対して平行な状態で支持・固定するものである。
以下、上記太陽光パネル取付装置１１３の構成について説明する。
なお、前述した第１の実施の形態の場合と、本実施の形態の場合とにおいて共通する構成については同一の符号を付し、説明を省略する。
【００４２】
上記太陽光パネル取付装置１１３には、図１４及び図１５に示すように、まず、太陽光パネル５ａがある。そして、上記折板屋根３に固定され上記太陽光パネル５ａの前端（図１４中左下側端）を支持・固定する複数（本実施の形態においては２つ）の第１取付具１１５、１１５が設置されている。また、上記折板屋根３に固定され上記太陽光パネル５ａの後端（図１４中右上側端）を支持・固定する複数（本実施の形態においては２つ）の第２取付具１１７、１１７が設置されている。
【００４３】
そして、図１５乃至図１７に示すように、上記第１取付具１１５は、下部取付具１３と、この下部取付具１３に着脱可能に取り付けられるとともに、上記太陽光パネル５ａを上記下部取付具１３に対して着脱可能に取り付けるクランプ部材１１９とから構成されている。
また、上記第２取付具１１７は、下部取付具１７と、この下部取付具１７に着脱可能に取り付けられるとともに、上記太陽光パネル５ａを上記下部取付具１７に対して着脱可能に取り付けるクランプ部材１２１とから構成されている。
【００４４】
上記クランプ部材１１９は、図１７に示すように、折板屋根３に対して平行な太陽光パネル５ａ側の方向（図１７（ｃ）中左方向）に突出・形成された係合爪１２３が設けられている。また、上記クランプ部材１２１には高さ方向（図１７（ｃ）中上下方向）に延長・形成された貫通孔１２５が設けられている。また、上記係合爪１２３には上記下部取付具１３側に突出・形成されたストッパ１２６が設けられている。また、上記クランプ部材１２１も上記クランプ部材１１９と同様の構成の部材であり、各構成要素については上記クランプ部材１１９と同じ符号を付し、説明を省略する。
そして、上記クランプ部材１１９の係合爪１２３と上記下部取付具１３との間に上記太陽光パネル５ａの前端側（図１４中左下側）が挟み込まれている。また、上記クランプ部材１２１の係合爪１２３と上記下部取付具１７との間に上記太陽光パネル５ａの後端側（図１４中右上側）が挟み込まれている。
また、上記ボルト１２７の頭部と上記クランプ部材１１９との間にはワッシャ１３１が介挿されている。同様にして、上記ボルト１２９の頭部と上記クランプ部材１２１との間にもワッシャが介挿されている。
【００４５】
そして、図１７（ｃ）に示すように、上記クランプ部材１１９の貫通孔１２５を貫通し、上記下部取付具１３の溝３１内のナット６９に螺合されるボルト１２７によって上記クランプ部材１１９が上記下部取付具１３側に付勢されることで、上記太陽光パネル５ａの前端側（図１４中左下側）が固定される。また、同様にして、上記クランプ部材１２１とボルト１２９によって、上記太陽光パネル５ａの後端側（図１４中右上側）も固定される。
また、上記太陽光パネル５ａの前方側（図１４中左下側）の端部が上記クランプ部材１１９のストッパ１２６に当接している。また、上記太陽光パネル５ａの後方側（図１４中右上側）の端部が上記クランプ部材１２１のストッパ１２６に当接している。
【００４６】
次に本実施の形態による太陽光パネル取付装置１１３の作用について説明する。
太陽光パネル５ａを折板屋根３に設置・固定する場合は、次のような取付作業を行う。
まず、前述した第１の実施の形態の場合と同様にして、上記折板屋根３の所定のハゼ３ｂの所定の位置に、下部取付具１３、１３、１７、１７を固定する。
次に、上記下部取付具１３の溝３１内にナット６９を挿入し、上記下部取付具１７の溝３１内にナット７９を挿入する。
次に、上記下部取付具１３の上にクランプ部材１１９を配置し、ボルト１２７を上記クランプ部材１１９の貫通孔１２５に貫通させてナット６９に螺合させ、上記クランプ部材１１９を仮止めする。また、上記下部取付具１７の上にクランプ部材１２１を配置し、ボルト１２９を上記クランプ部材１２１の貫通孔１２５に貫通させてナット７９に螺合させ、上記クランプ部材１２１を仮止めする。
【００４７】
次に、上記第１取付具１１５、１１５の上記クランプ部材１１９、１１９と上記下部取付具１３、１３とによって太陽光パネル５ａの一の辺側を挟み込み、且つ、上記第２取付具１１７、１１７の上記クランプ部材１２１、１２１と上記下部取付具１７、１７とによって上記太陽光パネル５ａの上記一の辺に対向する辺側を挟み込む。そして、ボルト１２７、１２７及びボルト１２９、１２９を締めて、上記太陽光パネル５ａを上記第１取付具１１５、１１５と上記第２取付具１１７、１１７に固定する。
このようにして、本実施の形態による太陽光パネル取付装置１１３が折板屋根３に対して取り付けられる。
【００４８】
上記太陽光パネル取付装置１１３は、上記下部取付具１３、１３、１７、１７に対して直接、上記太陽光パネル５ａが取り付けられている。そのため、図１４や図１５に示すように、上記太陽光パネル５ａは折板屋根３に対して傾斜しておらず、水平に（上記折板屋根３の向きに平行に）支持・固定されている。
【００４９】
次に、本実施の形態による太陽光パネル取付装置１１３による効果について説明する。
上記太陽光パネル取付装置１１３は、上記下部取付具１３、１３、１７、１７に対して直接、太陽光パネル５ａが取り付けられているため、上記太陽光パネル５ａを折板屋根３に対して平行に支持・固定させることができる。
また、必要に応じて、例えば、上記下部取付具１３、１３に対して、前述した第１の実施の形態等で用いた上部取付具１５、１５や、上記下部取付具１７、１７に対して、前述した第１の実施の形態等において用いた上部取付具１９、１９を取り付けるとともに、前述した第１の実施の形態等において用いたクランプ部材１６、１６、２０、２０を用いることで、上記太陽光パネル５ａを傾斜した状態で支持・固定させることもできる。
なお、当然のことながら、上記太陽光パネル取付装置１１３は、前述した第１の実施の形態による太陽光パネル取付装置１と同様の効果も奏するものである。
【００５０】
なお、本発明は、前述した第１〜第３の実施の形態に限定されない。
例えば、用いられる取付具や支持・固定される太陽光パネルの個数・配置には様々な場合が考えられる。例えば、３枚以上の太陽光パネルを一列に配置する場合や、複数の太陽光パネルの列を配置することも考えられる。また、取付具を一列に配置する場合も考えられる。
また、太陽光パネルの傾斜角度には様々な場合が考えられ、これに合わせて、上部取付具の高さや傾斜部（太陽光パネル載置部）の傾斜角度も様々な場合が考えられる。
また、クランプ部材や上部取付具の向きを変更することで、太陽光パネルの取り付けられる方向が変更される場合も考えられる。例えば、前述した第１の実施の形態や第２の実施の形態の場合には、太陽光パネルは折板屋根のハゼの方向（折板流れ方向）に傾斜された状態で設置されていたが、太陽光パネルを折板屋根のハゼの方向（折板流れ方向）に直交する方向に傾斜された状態で設置する場合も考えられる。
【００５１】
また、太陽光パネル取付装置の設置場所は、折板屋根上には限られない。また、設置場所に合わせて下部取付具の構成にも様々な場合が考えられる。例えば、設置場所を挟み込むような構造ではなく、ボルト・ナットなどの締結部材によって直接締結・固定されるような場合が考えられる。
また、各部材の材質についても、様々な場合が考えられる。
【産業上の利用可能性】
【００５２】
本発明は、例えば、折板屋根上に設置される太陽光パネル取付装置に係り、特に、設置場所に設けられた複数の金具に対して太陽光パネルが直接又は間接に取り付けられたものであって、上記複数の金具に必要に応じて高さが設定された別の金具が設置され、上記太陽光パネルを設置場所に対して平行に取り付けることができるだけではなく、傾斜させた状態でも取り付けることができるとともに、部品点数が少なく、設置作業も容易となるように工夫したものに係り、例えば、工場用の太陽光パネル取付装置に好適である。
【符号の説明】
【００５３】
１  太陽光パネル取付装置
５ａ  太陽光パネル
５ｂ  太陽光パネル
７  第１取付具
９  第２取付具
１１  第３取付具
１３  下部取付具
１５  上部取付具
１６  クランプ部材
１７  下部取付具
１９  上部取付具
２０  クランプ部材
２１  下部取付具
２３  上部取付具
２５  クランプ部材
３１  溝
６１  傾斜部
６７  ボルト
６９  ナット
８１  太陽光パネル載置部（傾斜部）
８３  太陽光パネル載置部（傾斜部）
８５  溝
８９  ボルト
９１  ナット
１０３  太陽光パネル載置部（傾斜部）
１０５  溝
１０７  ボルト
１０９  ナット
１１１  太陽光パネル取付装置
１１３  太陽光パネル取付装置
１１５  第１取付具
１１７  第２取付具
１１９  クランプ部材
１２１  クランプ部材
１２７  ボルト
１２９  ボルト
【図１】
2013177778.tif 000003
【図２】
2013177778.tif 000004
【図３】
2013177778.tif 000005
【図４】
2013177778.tif 000006
【図５】
2013177778.tif 000007
【図６】
2013177778.tif 000008
【図７】
2013177778.tif 000009
【図８】
2013177778.tif 000010
【図９】
2013177778.tif 000011
【図１０】
2013177778.tif 000012
【図１１】
2013177778.tif 000013
【図１２】
2013177778.tif 000014
【図１３】
2013177778.tif 000015
【図１４】
2013177778.tif 000016
【図１５】
2013177778.tif 000017
【図１６】
2013177778.tif 000018
【図１７】
2013177778.tif 000019